(57)【要約】【課題】衝撃吸収可能なゴルフクラブの衝撃吸収グリップ構造を提供する。【解決手段】クラブの金属シャフト末端の外側は覆われて、粘着固定される。構造はラバー内層３０と外層３１との二層構造であり、ラバーの内層は適切な厚みを持ち、表面には成型によるリング状溝３１０が若干あり、裏面には接着層があり、金属シャフトの末端に粘着固定される。グリップ外層には接着層３００で直接ラバー内層の表面が覆われ、外層とのドッキングによってラバー内層のリング状溝が外層の裏面に密封されてリング状の空間が作られる。リング状の空間はグリップ構造の中央に位置しており、衝撃吸収可能なリング状空間の隔離効果は、力を伝導する体積を小さくするため、手元に伝わる衝撃力が最低限に減少される。【選択図】図３
0003131069.tif 000002
【実用新案登録請求の範囲】
【請求項１】
ゴルフクラブの衝撃吸収グリップ構造であって、
クラブの金属シャフト末端の外側は覆われて粘着固定され、
ラバーの内層と外層との二層構造であって、ラバーの内層は適切な厚みを持ち、表面には成型によるリング状の溝が複数設けられ、裏面には接着層があり、金属シャフトの末端に粘着固定され、グリップ外層には接着層で直接ラバー内層の表面が覆われ、外層との接続によってラバー内層のリング状溝が外層の裏面に密封されてリング状の空間が作られ、リング状の空間はグリップ構造の中央に位置しており、衝撃吸収可能なリング状空間により、力を伝導する体積が低減され、手元に伝わる衝撃力が減少されることを特徴とするゴルフクラブの衝撃吸収グリップ構造。
【請求項２】
グリップの外層の厚みは１．５ｍｍから２．０ｍｍであることを特徴とする請求項１に記載のゴルフクラブの衝撃吸収グリップ構造。
【請求項３】
グリップのリング状溝は縦型の溝であることを特徴とする請求項１に記載のゴルフクラブの衝撃吸収グリップ構造。
【考案の詳細な説明】
【技術分野】
【０００１】
本考案は、衝撃吸収機能を提供できるゴルフクラブのグリップ構造に関する。
【背景技術】
【０００２】
従来のゴルフクラブグリップの構造は、ラバー被覆１を主体として、金属シャフトの末端に直接粘着固定するものがもっとも多いが、スイングの衝撃力はラバー被覆経由でプレイヤーの手元に伝わるため、その衝撃力を解消するためには、ラバー被覆の材質の硬さを調節して改良を図ることが通常よく考えられる方法である。しかし、衝撃解消をするには、軟質のラバーを用いても効果は限られる。しかもプレイヤーの手のひらのグリップ感が低下しがちであり、スイングに響く。したがって、先行グリップにはまだ改善の余地があると思われる。もう一種類のラバー被覆の構造（図２を参照）は、ラバー被覆２の裏面にリング状溝２０が若干ある。ラバー被覆２の裏面に接着剤を塗布し、ラバー被覆２を金属シャフト２１の末端に直接粘着固定するため、各リング状溝２０の開口方向は金属シャフト２１と貼りあわせられ、隔離空間を作る。これでシャフトから伝わった衝撃力がその隔離空間を通り、和らげられて手元まで伝わる衝撃力が減少される。しかし、リング状溝２０を配置したことにより、ラバー被覆２と金属シャフト２１の末端との粘着面積が小さくなるため、ラバー被覆２が弛みやすくなり、スイングの妨げとなる場合もある。したがって、先行グリップ同様、改善の余地があると思われる。
【考案の開示】
【考案が解決しようとする課題】
【０００３】
本考案は、衝撃吸収可能なグリップ構造を提供することにより、プレイヤーの手が受ける衝撃力をより低くし、手のひらのグリップ感を高めることを主な目的とする。
【課題を解決するための手段】
【０００４】
本考案はゴルフクラブ金属シャフトの末端を覆う衝撃吸収グリップ構造であり、ラバーの内層と外層との二層構造である。ラバーの内層は適切な厚みを持ったラバー層であり、表面にリング状の溝が若干ある。ラバー内層の裏面は金属シャフトの末端を覆い、粘着固定される。外層も同じく適切な厚みを持ったラバー層であり、ラバー内層の表面を覆い、粘着固定される。ラバー内層と外層とをドッキングしたものが、構造の主体となる。グリップ構造の中央に位置するラバー内層の表面のリング状溝は、リング状の隔離空間を作るため、スイング時に発生する衝撃力はまず内層に一部吸収され、弱められる。次にリング状空間の隔離効果が、力を伝導する体積を小さくするため、一度弱められた衝撃力が再度弱められる。結果的にはごく僅かな衝撃力しか手元に感じられず、安定したスイング効果が実現できる。
【考案を実施するための最良の形態】
【０００５】
図３で示したように、本実施例のグリップ構造はラバー内層３０と外層３１とで構成されており、金属シャフト末端３を覆い、粘着固定される。ラバー内層３０は適切な厚みを持ったラバー層であり、表面にはリング状溝３１０が若干ある。そして接着剤層３００が均等に塗布されている裏面には、金属シャフト末端３を直接被り、金属シャフト３に粘着固定される。グリップの外層３１の厚みは１．５ｍｍから２．０ｍｍが最良とされる。接着剤が均等に塗布されたその裏面は、ラバー内層３０の表面を覆い、リング状溝３１０の開口と貼り合わせられる（図４を参照）。ラバー内層３０と外層３１とのドッキングによって、リング状溝３１０の開口が外層３１の裏面に密封され、リング状の空間が作られる。しかもこのリング状の空間はグリップ構造の中央に位置する。ラバー内層３０と外層３１とが組み合わさった構造の上から、カバー４が被せられる。カバー４の出っ張った固定用ポールで金属シャフトの中空構造に固定すると、グリップの金属シャフト末端への固定が完成する。
【０００６】
図５、６を参照する。本実施例を用いたクラブでボールを打ったとき、発生した衝撃力は金属シャフトを通して末端３のグリップまで伝わり、まずラバー内層３０に一部吸収されて、ある程度弱められる。次に外層３１のリング状溝３１０が作ったリング状空間によって、力を伝導する体積が減少するため、衝撃力は最小とも言えるレベルに再度弱められる。最後に外層３１の表面構造に完全に吸収され、最終的にはごく僅かな衝撃力しかプレイヤーの手元に伝わらず、安定したスイングの効果が求められる（図７を参照）。
【０００７】
図８、９は本考案の別の実施例である。このグリップの構造もラバー内層５と外層６とでできている。ラバー内層５は適切な厚みを持ったラバー層であり、表面に縦方向の溝５０が若干あり、裏面には接着層５００が塗布されている。直接金属シャフト末端３に被り、粘着固定される。
【図面の簡単な説明】
【０００８】
【図１】従来のグリップの構造を示す断面図。
【図２】従来の別のグリップの構造を示す断面図。
【図３】本考案の一実施例におけるゴルフクラブの衝撃吸収グリップ構造を示す構造図。
【図４】本考案の一実施例におけるゴルフクラブの衝撃吸収グリップ構造を示す断面図。
【図５】本考案の一実施例におけるゴルフクラブの衝撃吸収グリップ構造を示す平面図。
【図６】本考案の一実施例におけるゴルフクラブの衝撃吸収グリップ構造衝撃力を示す説明図。
【図７】本考案の一実施例におけるゴルフクラブの衝撃吸収グリップ構造の衝撃吸収を示す説明図。
【図８】本考案の別の実施例におけるゴルフクラブの衝撃吸収グリップ構造を示す構造図
【図９】本考案の別の実施例におけるゴルフクラブの衝撃吸収グリップ構造を示す断面図。
【符号の説明】
【０００９】
１:ラバー被覆、２：ラバー被覆、２０：リング状溝、２１：金属シャフト、３：シャフト末端、３０：ラバー内層、３００：接着層、３１：外層、３１０：リング状溝、４：カバー、４０：固定ポール、５：ラバー層、５０：縦式溝、５００：接着層
【図１】
0003131069.tif 000003
【図２】
0003131069.tif 000004
【図３】
0003131069.tif 000005
【図４】
0003131069.tif 000006
【図５】
0003131069.tif 000007
【図６】
0003131069.tif 000008
【図７】
0003131069.tif 000009
【図８】
0003131069.tif 000010
【図９】
0003131069.tif 000011